(57)【要約】【課題】空調負荷が小さい場合において、被空調室内が必要としている能力に対して、エアコンの能力が必要能力より大きかった場合、供給熱量のオーバーシュートが大きく、一気に設定室温に達し、運転周波数が低下する前に再びサーモオフ状態となる。その後、室温が戻り圧縮機が再び起動する現象を繰り返していた。【解決手段】運転中にサーモオフしサーモオフ状態から圧縮機が再び運転を開始する場合、差温係数が小さく設定された、圧縮機の運転周波数を早く下げる圧縮機制御係数テーブルに変更して圧縮機の運転周波数を早く下げる。【選択図】図２
2014190600.tif 000002
【特許請求の範囲】
【請求項１】
室内の空気を吸い込むことにより室内温度を検知する室内吸込温度検知手段と、リモコンで設定した室内温度を検出する運転モード記憶手段と、前記室内吸込温度検知手段及び前記運転モード記憶手段の出力からその差温を算出する差温設定手段と、前記差温設定手段の出力により圧縮機制御係数テーブルに基いて圧縮機運転周波数を決定する周波数決定手段を具備した空気調和装置であって、運転中にサーモオフしサーモオフ状態から圧縮機が再び運転を開始する場合、差温係数が小さく設定された、圧縮機の運転周波数を早く下げる圧縮機制御係数テーブルに変更することを特徴とする空気調和装置。
【請求項２】
サーモオフ状態から圧縮機が再び運転を開始し、所定時間経過後、前記圧縮機制御係数テーブルを元に戻すことを特徴とする請求項１に記載の空気調和装置。
【発明の詳細な説明】
【技術分野】
【０００１】
本発明は、サーモオン・オフの回数を減らす機能を備える空気調和装置に関するものである。
【背景技術】
【０００２】
従来の空気調和装置の運転制御装置では、室温と設定温度との差温からゾーンを定め、各ゾーンと圧縮機運転周波数を対応付けるテーブルを持っているものもあれば、圧縮機運転周波数の変化値（現在周波数からの周波数の変化値）のテーブルを持っているものもある。例えば立ち上り時、偏差が大きいゾーンでは高周波数で運転を行い、室温が安定してきたら、つまり偏差の小さいゾーンでは低周波数で運転を行うというものであった（例えば、特許文献１参照）。
【先行技術文献】
【特許文献】
【０００３】
【特許文献１】特開昭５７−６７７３５号公報
【発明の概要】
【発明が解決しようとする課題】
【０００４】
しかしながら、従来の装置にあっては空調負荷が小さい場合や、サーモオフ復帰時において、被空調室内が必要としている能力に対して、室温と設定温度との偏差から定められるゾーンによって決定される圧縮機運転周波数に対応するエアコンの能力が必要能力より大きかった場合、室温変化により運転周波数も低下するものの、供給熱量のオーバーシュートが大きく、一気に設定室温に達し、圧縮機運転周波数が低下する前に再びサーモオフ状態となる。その後、室温が戻り圧縮機が再び起動するが、前述の現象を繰り返すことにより、快適性を著しく損ねるという課題があった。
【課題を解決するための手段】
【０００５】
前記従来の課題を解決するために、本発明は、室内の空気を吸い込むことにより室内温度を検知する室内吸込温度検知手段と、リモコンで設定した室内温度を検出する運転モード記憶手段と、室内吸込温度検知手段及び運転モード記憶手段の出力からその差温を算出する差温設定手段と、差温設定手段の出力により圧縮機制御係数テーブルに基いて圧縮機運転周波数を決定する周波数決定手段を具備した空気調和装置であって、運転中にサーモオフしサーモオフ状態から圧縮機が再び運転を開始する場合、差温係数が小さく設定された、圧縮機の運転周波数を早く下げる圧縮機制御係数テーブルに変更することを特徴としたものである。
【発明の効果】
【０００６】
本発明の空気調和装置は、サーモオン、オフを頻繁に繰り返すような空調負荷が小さい環境条件の場合、室内吸込温度とリモコンの設定温度との差温が小さくなると通常より早めに空気調和装置が圧縮機運転周波数を落として運転を行うことにより、サーモオン、オフの回数が減り、機器の快適性を向上させることができる。
【図面の簡単な説明】
【０００７】
【図１】本発明の実施の形態１、２における冷凍サイクル回路図
【図２】本発明の実施の形態１、２における制御ブロック図
【図３】本発明の実施の形態１、２における圧縮機運転周波数と室温の推移概念図
【図４】本発明の実施の形態１におけるフローチャート
【図５】本発明の実施の形態２におけるフローチャート
【発明を実施するための形態】
【０００８】
本発明は、室内の空気を吸い込むことにより室内温度を検知する室内吸込温度検知手段と、リモコンで設定した室内温度を検出する運転モード記憶手段と、室内吸込温度検知手段及び運転モード記憶手段の出力からその差温を算出する差温設定手段と、差温設定手段の出力により圧縮機制御係数テーブルに基いて圧縮機運転周波数を決定する周波数決定手段を具備した空気調和装置であって、運転中にサーモオフしサーモオフ状態から圧縮機が再び運転を開始する場合、差温係数が小さく設定された、圧縮機の運転周波数を早く下げる圧縮機制御係数テーブルに変更することにより、サーモオン、オフを頻繁に繰り返すような環境条件の場合、通常より早めに空気調和装置の圧縮機運転周波数を落として運転を行い、サーモオン、オフの回数が減り、機器の快適性が向上する。
【０００９】
（実施の形態１）
図１は、本発明の実施の形態１における空気調和装置の冷凍サイクル回路図、図２は、本発明の実施の形態１における空気調和装置の制御ブロック図、図３は、本発明の実施の形態１における圧縮機運転周波数と室温の推移概念図、図４は、本発明の実施の形態１におけるフローチャートを示すものである。
【００１０】
図１において、室外機１にはインバータ駆動の容量（周波数）可変形圧縮機２（以下単に「圧縮機２」と称す。）と、室外熱交換器３と室外送風機４と、冷暖房切換用の四方弁５とが設けられる。
【００１１】
一方、室内機７には室内送風機８と、室内熱交換器９がそれぞれ設けられていて、室外機１と室内機７は冷媒液管１２、冷媒ガス管１３により液側接続部１４とガス側接続部１５で接続されている。
【００１２】
また、液側接続部１４の冷媒液管１２には、例えばステッピングモータ等により弁開度をパルス制御可能な電動膨張弁６が介装されている。
【００１３】
また、室内機７には、居住者が希望する運転モード（冷房、除湿または暖房）と室温と運転あるいは停止を設定できる運転設定装置（リモコン）１０が設けられている。
【００１４】
上記構成の冷凍サイクルにおいて、冷房あるいは除湿運転時においては、圧縮機２から吐出された冷媒は、四方弁５を介して室外熱交換器３へと流れ、室外送風機４の駆動により室外熱交換器３で室外空気と熱交換されて凝縮液化し、冷媒液管１２を通り電動膨張弁６で流量制御されて室内熱交換器９で蒸発した後に、冷媒ガス管１３、四方弁５を介して再び圧縮機２に吸入される。この電動膨張弁６は室内の負荷に見合った開度となるようステッピングモータ等によりパルス制御されるため、冷媒も室内負荷に応じた流量で制御される。
【００１５】
一方、暖房運転時においては、圧縮機２から吐出された冷媒は、四方弁５を介して室内熱交換器９へと流れ、室内送風機８の駆動により室内熱交換器９で室内空気と熱交換されて凝縮液化し、電動膨張弁６で流量制御され、室外熱交換器３で蒸発した後に四方弁５を介して再び圧縮機２に吸入される。
【００１６】
次に、本発明の空気調和装置の制御について図２、図４を用いて説明する。
【００１７】
なお、表１は、空気調和装置が設置された室内温度と設定温度との差温と、圧縮機制御値テーブルとの関係を示す表である。
【００１８】
本発明の空気調和装置の制御装置２１には、居住者が希望する運転モード切替スイッチ１７（冷房、ドライ、送風または暖房）と室内温度設定スイッチ１８と運転停止スイッチ１６と室内風量設定スイッチ１９と室内風向設定スイッチ２０で構成されている運転設定装置１０の各信号を記憶する運転モード記憶装置２２と、室内の吸込温度と室内温度設定値の差温により、空気調和装置の運転／停止を行う圧縮機制御値テーブルを選択する差温設定装置２３と、室内吸込温度検知装置１１の信号をサンプリング時間毎受けて運転状況を判断する判定装置２４と、圧縮機２の運転時間を設定する時間設定装置２６とそれらの信号により圧縮機２の運転（駆動）周波数を決定する周波数決定手段や、送風機の回転数を決定し、室内送風機８、室外送風機４等の制御を行う出力リレー回路２５等を有している。
【００１９】
居住者が運転設定装置１０で例えば暖房を選択し温度設定Ｔａ（ここでは例えば３２℃）で運転を開始すると（Ｓ１、Ｓ２）、室内機７は室内吸込温度Ｔｈｉｎを検出し（Ｓ３）、室内温度設定スイッチ１８の値Ｔａと室内吸込温度検知装置１１の室内吸込温度Ｔｈｉｎの差温ＴＸを計算する（Ｓ４）。ここで、機器がサーモオフを経験しているかどうかの判断を行い（Ｓ５）、サーモオフを経験していない場合は圧縮機制御値テーブルＡ（表１）と差温により運転周波数を算出し圧縮機２の運転を行う（Ｓ６）。一方、機器がサーモオフを経験している場合、通常の圧縮機制御値テーブルＡから圧縮機制御値テーブルＢに変更し（Ｓ７）、変更された圧縮機制御値テーブルＢ（表１）と差温により運転周波数を算出して圧縮機２の運転を行う（Ｓ８）。
【００２０】
【表１】
2014190600.tif 000003
【００２１】
ここで圧縮機制御値テーブルＢは通常の圧縮機制御値テーブルＡの値から差温が小さいゾーンの係数をより周波数を低下させるように変更されているため、図３に示すように空気調和装置がサーモオフ、オン後のような空調負荷が低い環境の場合、室内吸込温度とリモコンの設定温度との差温が小さくなると、通常より早めに空気調和装置が圧縮機運転周波数を落として運転を行い、空気調和装置の性能を落とし、室温をサーモオフ領域から外れやすくなるように制御を行うことによりサーモオン、オフの回数が減り、機器の快適性
が向上する。
【００２２】
なお、表１のＴＢｎ（ｎ＝１〜１６）の運転周波数の値は、ＴＡｎ（ｎ＝１〜１６）の運転周波数の値より低い値となっている。
【００２３】
（実施の形態２）
図１は、本発明の実施の形態２における空気調和装置の冷凍サイクル回路図、図２は、本発明の実施の形態２における空気調和装置の制御ブロック図、図３は、本発明の実施の形態２における圧縮機運転周波数と室温の推移概念図、図５は、本発明の実施の形態２におけるフローチャートを示すものである。
【００２４】
本実施の形態で、実施の形態１と共通する構成（機能）については、同じ符号を付して、その説明を割愛する。
【００２５】
居住者が運転設定装置（リモコン）１０で例えば暖房を選択し温度設定Ｔａ（ここでは例えば３２℃）で運転を開始すると（Ｓ１、Ｓ２）、室内機７は室内吸込温度Ｔｈｉｎを検出し（Ｓ３）、室内温度設定スイッチ１８の値Ｔａと室内吸込温度検知装置１１の室内吸込温度Ｔｈｉｎの差温ＴＸを計算する（Ｓ４）。ここで、機器がサーモオフを経験しているかどうか判断を行い（Ｓ５）、サーモオフを経験していない場合は圧縮機制御値テーブルＡ（表１）と差温により運転周波数を算出し圧縮機２の運転を行う（Ｓ６）。一方、機器がサーモオフを経験している場合、通常の圧縮機制御値テーブルＡから圧縮機制御値テーブルＢに変更し（Ｓ７）、変更された圧縮機制御値テーブルＢ（表１）と差温により運転周波数を算出し圧縮機２の運転を行う（Ｓ８）。さらにサーモオフ後からある所定時間Ｔ１が経過しているか判断を行う（Ｓ９）。所定時間Ｔ１が経過している場合は室温が十分安定していると判定し、サーモオフ経験記憶を削除し、圧縮機制御値テーブルＢから通常の圧縮機制御値テーブルＡに変更する。
【００２６】
この構成によれば、空気調和装置がサーモオフ、オン後のような空調負荷が低い環境の場合、室内吸込温度とリモコンの設定温度との差温が小さくなると、通常より早めに空気調和装置が圧縮機運転周波数を落として運転を行い、空気調和装置の性能を落とし、室温をサーモオフ領域から外れやすくなるように制御を行うことによりサーモオン、オフの回数が減り、機器の快適性が向上する
【産業上の利用可能性】
【００２７】
以上のように、本発明にかかる空気調和装置は、短時間でサーモオン、オフを繰り返す空調負荷が低い環境の場合、通常時より早めに空気調和装置が圧縮機運転周波数を落として運転を行うことにより、サーモオフを頻繁に繰り返すことなく室温のハンチングを防止し快適な状態を維持することが可能となるので、種々の空気調和装置に適用できる。
【符号の説明】
【００２８】
１  室外機
２  圧縮機
３  室外熱交換器
４  室外送風機
５  四方弁
６  電動膨張弁
７  室内機
８  室内送風機
９  室内熱交換器
１０  運転設定装置（リモコン）
１１  室内吸込温度検知装置
１２  冷媒液管
１３  冷媒ガス管
１４  液側接続部
１５  ガス側接続部
１６  運転停止スイッチ
１７  運転モード切替スイッチ
１８  室内温度設定スイッチ
１９  室内風量設定スイッチ
２０  室内風向設定スイッチ
２１  制御装置
２２  運転モード記憶装置
２３  差温設定装置
２４  判定装置
２５  出力リレー回路
２６  時間設定装置
【図１】
2014190600.tif 000004
【図２】
2014190600.tif 000005
【図３】
2014190600.tif 000006
【図４】
2014190600.tif 000007
【図５】
2014190600.tif 000008